(57)【要約】【課題】医療施設の室内において、既存の天井懸架式無影灯のある手術医療作業域を濾過された浄化空気による下降層流の清浄な雰囲気とするためには、無影灯を撤去する改造工事と長い工期が必要であった。また、無影灯の支柱と天井の接合部は、化粧カバーにより覆われているが気密処理されておらず、無影灯の支柱と天井の貫通部間隙より汚染空気が、手術医療作業域に侵入する問題があった。【解決手段】既存の天井懸架式の無影灯の支柱部分にあたる部位を切り欠いた層流ユニットを支柱を挟み込むよう連結して天井面に設け、ファンフィルタユニットに接続することにより、無影灯を撤去することなく、手術医療作業域を濾過された浄化空気による下降層流の清浄な雰囲気とすることができる。また、層流ユニットに供給した浄化空気が内圧により、無影灯の支柱と天井の貫通部間隙より吹き出し、天井裏の汚染空気が手術医療作業域へ侵入しなくなる。【選択図】              図１
2004245562.tif 000002
【特許請求の範囲】
【請求項１】
天井懸架式無影灯のある医療施設の室内において、濾過された浄化空気を供給するファンフィルタユニットを壁面に設け、層流発生板と筐体からなる層流ユニットを手術医療作業域の天井懸架式無影灯の支柱部分にあたる部位を切り欠き、手術医療作業域の天井面に天井懸架式無影灯の支柱を挟み込むよう連結して設け、ファンフィルタユニットに接続し、既存の天井懸架式無影灯を撤去することなく、手術医療作業域を濾過された浄化空気による下降層流の清浄な雰囲気とすることを特徴とするブース型クリーンユニット
【請求項２】
請求項１の層流ユニットにおいて、ファンフィルタユニットより供給される濾過された浄化空気が内圧により、既存の天井懸架式無影灯の支柱と天井の貫通部間隙より天井裏へ吹出し、天井裏の汚染空気の手術医療作業域への侵入を防止することを特徴とするブース型クリーンユニット
【発明の詳細な説明】
【０００１】
【発明の属する技術分野】
本発明は医療施設の室内において、天井懸架式無影灯のある手術医療作業域を濾過された浄化空気による下降層流の清浄な雰囲気とするためのブース型クリーンユニットに関するものである。
【０００２】
【従来の技術】
医療施設の室内において、天井懸架式無影灯のある手術医療作業域を濾過された浄化空気による下降層流の清浄な雰囲気とする従来の技術には、天井取付型のクリーンブースや自立型のクリーンブースを設置する方法が一般によく知られている。
【０００３】
まず、図４に示す天井取付型のクリーンブースについて説明する。筐体５１側面の一次フィルタ５２ｂに吸い込まれる室内空気５８をファン５３により二次フィルタ５２ａに送り、濾過された浄化空気を筐体５１下面の層流発生板５４を通過させて、手術医療作業域を下降層流５５の清浄な雰囲気とするように構成したもので、手術医療作業域の天井面５６に取付けられたものである。５７は医療施設の室内であり、５９は壁面、６０は床面を示す。
【０００４】
次に、図５の自立型のクリーンブースは、前記のクリーンブースの筐体５１の四隅に筐体５１支持用の支柱６１を取付けて自立させたものである。
【０００５】
以上の天井取付型のクリーンブース又は、自立型のクリーンブースを設置するためにはいずれの場合にも、既存の天井懸架式無影灯を撤去しなければ、手術医療作業域に設置することができず、既存の天井懸架式無影灯を撤去する大掛かりな改造工事と長い工期が必要であった。
【０００６】
また、既存の天井懸架式無影灯の支柱と天井との接合部は、化粧カバーにより覆われいるだけで、天井貫通部間隙を完全に気密状態にしておらず、天井裏からの有害な浮遊微粒子や浮遊細菌等の感染症をひきおこす原因となる汚染空気の、手術医療作業域への侵入について対策が講じられていなかった。
【０００７】
従来のクリーンブースとしては、特開２００２−２８６２６５号広報に開示されたものが公知である。
【０００８】
【発明が解決しようとする課題】
医療施設の室内において、天井懸架式無影灯のある手術医療作業域を濾過された浄化空気による下降層流の清浄な雰囲気とするためには、既存の天井懸架式無影灯を撤去し、大掛かりな改造工事と長い工期が必要であり、手術医療作業には天井懸架式無影灯が必要で、既存の天井懸架式無影灯を撤去することがでない場合は、天井懸架式無影灯があるため、天井取付型のクリーンブースや自立型クリーンブースを設置することができない問題があった。
【０００９】
また、既存の天井懸架式無影灯の支柱と天井との接合部は、化粧カバーにより覆われているが完全な気密状態ではなく、支柱と天井の貫通部間隙より、天井裏の有害な浮遊微粒子や浮遊細菌等の感染症をひきおこす原因となる汚染空気が、手術医療作業域に侵入する問題がある。
【００１０】
【課題を解決するための手段】
請求項１のブース型クリーンユニットとしては、医療施設の室内において、濾過された浄化空気を供給するファンフィルタユニットを壁面に設け、層流発生板と筐体からなる層流ユニットを手術医療作業域にある既存の天井懸架式無影灯の支柱部分にあたる部位を切り欠き、手術医療作業域の天井面に天井懸架式無影灯の支柱を挟み込むよう連結して設け、ファンフィルタユニットに接続し、既存の天井懸架式無影灯を撤去することなく、手術医療作業域を濾過された浄化空気による下降層流の清浄な雰囲気とするブース型クリーンユニットを構成したことを特徴とする。
【００１１】
また、請求項２のブース型クリーンユニットとしては、請求項１の層流ユニットにおいて、ファンフィルタユニットより供給される濾過された浄化空気が内圧により、既存の天井懸架式無影灯の支柱の天井貫通部間隙より天井裏へ吹出し、天井裏の汚染空気が手術医療作業域への侵入を防止したブース型クリーンユニットを構成したことを特徴とする。
【００１２】
【発明の実施の形態】
本発明のブース型クリーンユニットの実施の形態としては、図１に示すように空気を循環送風するファン１と空気を濾過するフィルタ２ａ、２ｂにより構成されるファンフィルタユニット３、及び層流発生板４と濾過された浄化空気を導入する筐体５により構成される層流ユニット６からなり、外観は図２に示す形態となる。
【００１３】
詳細には、ファンフィルタユニット３の一次フィルタ２ｂは、粗塵用の不織布フィルタを用い二次フィルタ２ａは、高性能フィルタのＨＥＰＡフィルタを使用している。ファン１は、シロッコファンを用いている。このユニットの背面は室内１３の壁７面に接し、上面は天井８面に接するように設置し、上部に層流ユニット６と連結する開口９接続部がある。
【００１４】
層流ユニット６については、ファンフィルタユニット３と連結して濾過された浄化空気を導入する開口９接続部を有し、多孔のパンチング板で開口率２０〜３０％の層流発生板４を下面に取付けられた筐体５である。形態は図３に示すように、天井懸架式の無影灯１０の支柱１１の水平断面を左右対称に、二分割した切り欠き形状１２をそれぞれ連結する部位にもつもので、支柱１１を挟み込むよう連結して天井８に取付けてファンフィルタユニット３に接続し、天井懸架式の無影灯１０の支柱１１が、連結した層流ユニット６の中央に位置するように配置する。以上のように天井８に取付けることにより、天井懸架式の無影灯１０を撤去する必要がなくなると共に、層流ユニット６を支える支柱は不要となる。
【００１５】
層流ユニット６の天井８に接する面の周囲及び、ファンフィルタユニット３との開口９接続部は、パッキンまたはシリコンシール材により気密処理をする。
また、ファンフィルタユニット３のファン１以降から二次フィルタ２ａまでのフィルタ上流側の内部も同様に、シリコンシール材により気密処理をする。
【００１６】
上記にように実施されたブース型クリーンユニットは、図１に示すように医療施設の室内１３の空気をファンフィルタユニット３の一次フィルタ２ｂに吸込み粗塵をろ過して、循環送風するファン１を経て二次フィルタ２ａで粒径０．３ミクロン以上の浮遊微粒子を９９．９７％以上捕集した濾過された浄化空気として、ファンフィルタユニット３上部の開口９を通り層流ユニット６へ供給する。層流ユニットの導入された浄化空気の一部は内圧により、天井懸架式の無影灯１０の化粧カバー１４の間隙１５から、支柱１１と天井８の貫通部間隙１６を通過して天井裏１７へ吹出されることにより、汚染空気の手術医療作業域への侵入を防止することができる。層流発生板４を通過した浄化空気は、手術医療作業域を濾過された浄化空気による下降層流１８の清浄な雰囲気を形成し、下降層流１８により床面１９まで下降する。
【００１７】
【実施例】
次に実施例について説明する。一次フィルタ２ｂは、粗塵用の不織布フィルタとしているが細塵用、微塵用のものとすることもできる。また、二次フィルタ２ａは粒径０．３ミクロンの粒子の捕集効率９９．９７％以上の高性能フィルタのＨＥＰＡフィルタとしているが、粒径０．３ミクロンの粒子の捕集効率９５％以上の準ＨＥＰＡフィルタ、粒径０．１２ミクロンから０．１７ミクロンの粒子の捕集効率が９９．９９９％以上の超高性能フィルタのＵＬＰＡフィルタ、または、捕集効率９０％以上の中性能フィルタなどに、手術医療作業域に要求される清浄な雰囲気に応じて選択することも可能である。
【００１８】
ファン１についてはシロッコファンとしているが、軸流ファンとすることもでき、選択するファン１の能力により処理風量を調節できる。
【００１９】
層流ユニット６は、切り欠き形状１２を天井懸架式の無影灯１０の支柱１１の形状のみならず、天井懸架式の手術用顕微鏡の支柱の形状にすることによって、天井懸架式の手術用顕微鏡にも対応することができる。
【００２０】
さらには医療施設の室内に限らず、半導体製造、液晶板製造、精密機械製造、食品製造、医薬品製造、塗装施設等の室内においても、層流ユニット６の切り欠き形状１２を天井より懸架される装置の部材形状にすることにより、天井より懸架される装置を撤去することなく、製造作業域を濾過された浄化空気による下降層流の清浄な雰囲気とすることも可能である。
【００２１】
【発明の効果】
この発明の請求項１のブース型クリーンユニットは、医療施設の室内において、既存の天井懸架式の無影灯を撤去する大掛かりな改造工事と長い工期を必要とすることなく、既存の天井懸架式の無影灯の支柱があっても、手術医療作業域を濾過された浄化空気による下降層流の清浄な雰囲気とすることが容易となる効果がある。
【００２２】
また、本発明のブース型クリーンユニットの層流ユニットは、手術医療作業域に層流ユニット支持用の支柱がないため、手術医療作業に支障をきたす危険性はなく、内部にファンやフィルタを備えていないので、室内に設置する図４や図５に示すクリーンブースにくらべて筐体を薄くすることができ、手術医療作業域の天井高が著しく低くならず圧迫感のなくなる効果がある。
【００２３】
この発明の請求項２のブース型クリーンユニットは、医療施設の室内において、手術医療作業域にある既存の天井懸架式無影灯の支柱と天井の貫通部間隙の気密処理をする必要がなく、天井裏の有害な浮遊微粒子や浮遊細菌等の感染症をひきおこす原因となる汚染空気が、手術医療作業域に侵入することを防止する効果がある。
【図面の簡単な説明】
【図１】本発明のブース型クリーンユニットを示した断面図である。
【図２】本発明のブース型クリーンユニットを示した外観図である。
【図３】本発明の層流ユニットの切り欠き形状及び連結を示した斜視図である。
【図４】従来の技術の天井取付型のクリーンブースを示した断面図である。
【図５】従来の技術の自立型のクリーンブースを示した断面図である。
【符号の説明】
１      ファン                ２ａ    二次フィルタ
２ｂ    一次フィルタ          ３      ファンフィルタユニット
４      層流発生板            ５      筐体
６      層流ユニット          ７      壁
８      天井                  ９      開口
１０    無影灯                １１    支柱
１２    切り欠き形状          １３    室内
１４    化粧カバー            １５    間隙
１６    貫通部間隙            １７    天井裏
１８    下降層流              １９    床面
５１    筐体                  ５２ａ  二次フィルタ
５２ｂ  一次フィルタ          ５３    ファン
５４    層流発生板            ５５    下降層流
５６    天井面                ５７    室内
５８    室内空気              ５９    壁面
６０    床面                  ６１    支柱
【図１】
2004245562.tif 000003
【図２】
2004245562.tif 000004
【図３】
2004245562.tif 000005
【図４】
2004245562.tif 000006
【図５】
2004245562.tif 000007